(57)【要約】【課題】壁上面に柱を立設する建築構造物であって、壁上面にレベル精度が要求されることなく、柱の立設時に柱のレベル調整及び前後の位置調整が容易な建築構造物を提供する。【解決手段】本発明にかかる建築構造物１において、レベル調整材３３が、ベース材３１の上に架設してあり、レベル調整材３３に設けた前側高さ調整部４９と後側高さ調整部５１とには各々下端が壁上面２ａに当接する高さ調整ねじが５３上から螺合して壁上面２ａに対する高さを調整してあり、高さ調整後にベース材３１とレベル調整材３３が固定してあり、取付位置調整材３５は、レベル調整材３３の上に設けてあり、前側位置規制部５７と後側位置規制部５９との間でレベル調整材３３に対する前後方向の位置を調整自在であり、前後方向の位置を調製後にレベル調整材３３に固定してあり、柱３ａ、３ｂ及び笠木４ａ、４ｂ、４ｃは、取付位置調整材３５に固定してある。【選択図】図１
2015135054.tif 000002
【特許請求の範囲】
【請求項１】
ベース材と、レベル調整材と、取付位置調整材と、柱と、笠木とを備え、ベース材は壁の上面に壁の左右方向に間隔をあけて固定してあり、壁上面に配置する底部と、壁の前面側で底部から上方に向けて突設する前側突設部と、壁の後面側で底部から上方に向けて突設する後側突設部とを有し、レベル調整材は、ベース材の上に架設してあり、ベース材の前側突設部の前側で下方に突設して前側突設部に対向する前側対向部と、ベース材の後側突設部の後側で下方に突設して後側突設部に対向する後側対向部とを有し、前側対向部は前側に向けて突設する前側高さ調整部を有し、後側対向部は後側に突設する後側高さ調整部を有し、前側高さ調整部と後側高さ調整部とには各々下端が壁の上面に当接する高さ調整ねじが上から螺合して壁上面に対する高さを調整してあり、高さ調整後にベース材とレベル調整材が固定してあり、取付位置調整材は、レベル調整材の上に設けてあり、レベル調整材の前側端に前側で対向する前側位置規制部と、レベル調整材の後側端に後側で対向する後側位置規制部とを有し、前側位置規制部と後側位置規制部との間でレベル調整材に対する前後方向の位置を調整自在であり、前後方向の位置を調製後にレベル調整材に固定してあり、柱及び笠木は、取付位置調整材に固定してあることを特徴とする建築構造物。
【発明の詳細な説明】
【技術分野】
【０００１】
本発明は、テラス、フェンス等の建築構造物に関する。
【背景技術】
【０００２】
非特許文献１には、図１１に示すように、壁２の上面（壁上面）２ａにベース材１０１を固定し、ベース材１０１に笠木１０３を取付けることが開示されている。
【先行技術文献】
【非特許文献】
【０００３】
【非特許文献１】１５２頁「三協立山アルミ  ウォールエクステリア  カタログ  ２０１１→２０１２」  第１版  業務用  三協立山アルミ株式会社  ２０１１年３月発行
【発明の概要】
【発明が解決しようとする課題】
【０００４】
一方、人の腰程度の高さの壁の上面にテラス屋根の柱を立設することが提案されている。
しかし、壁の上面に柱を立設する場合には、壁の上面に高いレベル精度が要求されるが、壁の施工に高いレベル精度の要求は困難であった。
また、壁の上面に柱を立設する場合に、柱間で前後の位置を合わせる（いわゆる通しを合わせる）ことが望まれているが、各柱毎に個別に行ったのでは、施工に手間がかかるという問題がある。
【０００５】
そこで、本発明は、壁上面に柱を立設する建築構造物であって、壁上面にレベル精度が要求されることなく、柱の立設時に柱のレベル調整及び前後の位置調整が容易な建築構造物の提供を目的とする。
【課題を解決するための手段】
【０００６】
請求項１に記載の発明は、ベース材と、レベル調整材と、取付位置調整材と、柱と、笠木とを備え、ベース材は壁の上面に壁の左右方向に間隔をあけて固定してあり、壁上面に配置する底部と、壁の前面側で底部から上方に向けて突設する前側突設部と、壁の後面側で底部から上方に向けて突設する後側突設部とを有し、レベル調整材は、ベース材の上に架設してあり、ベース材の前側突設部の前側で下方に突設して前側突設部に対向する前側対向部と、ベース材の後側突設部の後側で下方に突設して後側突設部に対向する後側対向部とを有し、前側対向部は前側に向けて突設する前側高さ調整部を有し、後側対向部は後側に突設する後側高さ調整部を有し、前側高さ調整部と後側高さ調整部とには各々下端が壁の上面に当接する高さ調整ねじが上から螺合して壁上面に対する高さを調整してあり、高さ調整後にベース材とレベル調整材が固定してあり、取付位置調整材は、レベル調整材の上に設けてあり、レベル調整材の前側端に前側で対向する前側位置規制部と、レベル調整材の後側端に後側で対向する後側位置規制部とを有し、前側位置規制部と後側位置規制部との間でレベル調整材に対する前後方向の位置を調整自在であり、前後方向の位置を調製後にレベル調整材に固定してあり、柱及び笠木は、取付位置調整材に固定してあることを特徴とする建築構造物である。
本明細書において、前側及び後側は、壁の一面側が前側であり、他面側が後側である。
【発明の効果】
【０００７】
本発明において、壁の上面に柱を立設する場合には、レベル調整材において前側高さ調整部及び後側高さ調整部に高さ調整ねじを螺合して前後における高さを調整後に、レベル調整材をベースに固定し、取付位置調整材は前側位置規制部と後側位置規制部との間でレベル調整材に対する前後位置を調整後にレベル調整材に固定して、取付位置調整材に柱及び笠木を固定するから、壁上面にレベル精度が要求されることなく、柱のレベル調整及び前後の位置調整が容易にできる。
各柱の取付位置に亘って左右方向に設けた取付位置調整材で前後位置調整をおこなうので、各柱の前後位置を一括して調整できるから、各柱の前後位置を容易に揃えることができる。
【図面の簡単な説明】
【０００８】
【図１】第１実施の形態にかかる建築構造物の図であり、図７に示す建築構造物をＥ−Ｅ位置で切断して示す断面図である。
【図２】（ａ）は図１に示すＡ−Ａ断面図であり、（ｂ）は図１に示すＢ−Ｂ断面図である。
【図３】中間柱の横断面図である。
【図４】端部柱を図２と同じ位置で切断して示す断面図であり、（ａ）は図２の（ａ）に対応する図であり、（ｂ）は図２の（ｂ）に対応する図である。
【図５】端部柱の横断面図である。
【図６】図４（ａ）に示すＣ−Ｃ断面図である。
【図７】第１実施の形態にかかる建築構造物の概略を示す斜視図である。
【図８】第２実施の形態にかかる建築構造物の図であり、図７に示すＥ−Ｅ位置と同じ位置で切断して示す断面図である。
【図９】（ａ）は図８に示すＦ−Ｆ断面図であり、（ｂ）は図８に示すＧ−Ｇ断面図である。
【図１０】端部柱を図９と同じ位置で切断して示す断面図であり、（ａ）は図９の（ａ）に対応する図であり、（ｂ）は図９の（ｂ）に対応する図である。
【図１１】従来技術であって壁に笠木を取付けた縦断面図である。
【発明を実施するための形態】
【０００９】
以下に、添付図面を参照して本発明の実施の形態を詳細に説明するが、まず、図１〜図７を参照して本発明の第１実施の形態について説明する。
図７に示すように、本実施の形態に係る建築構造物１はテラスであり、壁２と、壁２の上面（以下「壁上面」という）２ａに立設した柱３ａ、３ｂと、柱３ａ、３ｂの上端に架設した桁５と、垂木７と、垂木７、７間に配置した屋根パネル１３とを備えている。柱３ａ、３ｂは、建築構造物１の左右両端側に位置する端部柱３ａと、左右の端部柱３ａ、３ａ間に位置する中間柱３ｂ、３ｂである。
【００１０】
壁２は、ブロックを積んで施工してあり上面２ａが人の腰の位置程度の高さにしてある。
図１に示すように、壁上面２ａにはベース材３１と、レベル調整材３３と、取付位置調整材３５と、笠木４ａ、４ｂ、４ｃとが設けてあり、各端部柱３ａ、中間柱３ｂ及び笠木４ａ、４ｂ、４ｃは取付位置調整材３５に取り付けられている。
ベース材３１は、壁上面２ａの左右方向の寸法に対して壁上面２ａに左右方向に間隔をあけて配置した短尺であり、各柱３ａ、３ｂの立設位置に対応して設けてあり、壁上面２ａにアンカーボルト３７で固定してある。ベース材３１は、壁上面２ａに配置する底部３９と、壁２の前面側で底部３９から上方に向けて突設する前側突設部４１と、壁２の後面側で底部から上方に向けて突設する後側突設部４３とを備えており、前側突設部４１と底部３９と後側突設部４３とで断面コ字形状を成している。
【００１１】
レベル調整材３３は、壁２の左右方向の寸法と同程度の長さの長尺であり、各ベース材３１の上に亘って架設してある。このレベル調整材３３は、上面部３４と、前側対向部４５と、後側対向部４７とを備えており、前側対向部４５はベース材３１の前側突設部４１の前側で上面部３４から下方に突設しており、前側突設部４１に対向している。後側対向部４７は、ベース材３１の後側突設部４３の後側で上面部３４から下方に突設してベース材３１の後側突設部４３に対向している。
前側対向部４５はその下端に前側に向けて突設する前側高さ調整部４９が形成してあり、前側対向部４５と前側高さ調整部４９とで縦断面形状がＬ字形状を成している。
後側対向部４７はその下端に後側に向けて突設する後側高さ調整部５１が形成してあり、後側対向部４７と後側高さ調整部５１とで縦断面形状がＬ字形状を成している。
前側高さ調整部４９及び後側高さ調整部５１とには、各々ねじ孔が形成してあり、このねじ孔に下端が壁上面２ａに当接する高さ調整ねじ５３が上から螺合している。
レベル調整材３３の上面部３４の前側には前側端３３ａが前側に突出して形成してあり、上面部３４の後側には後側端３３ｂが後側に突出して形成されている。尚、上面部３４は前後方向の中間に下方に凹んだ溝３４ａが形成されている。
レベル調整材３３の前側対向部４５はベース材３１の前側突設部４１に横から止めるねじ５２で固定してあり、後側対向部４７はベース材３１の後側突設部４３に横から止めるねじ５４で固定してある。
【００１２】
取付位置調整材３５は、左右方向の長さがレベル調整材３３の寸法と同程度の長尺であり、レベル調整材３３の上面部３４の上に載置する載置部５５と、レベル調整材３３の前側端３３ａに前側で対向する前側位置規制部５７と、レベル調整材３３の後側端３３ｂに後側で対向する後側位置規制部５９とが設けてある。前側位置規制部５７及び後側位置規制部５９は、各々下方に突出して形成されている。
レベル調整材３３の前側端３３ａと取付位置調整材３５の前側位置規制部５７との間の間隔Ｌ１が前側の位置調整範囲になっており、レベル調整材３３の後側端３３ｂと取付位置調整材３５の後側位置規制部５９との間の間隔Ｌ２が後側の位置調整範囲になっている。
取付位置調整材３５の上面前側には、後述する前側笠木４ａが係止する前側笠木係止部６３が形成してあり、取付位置調整材３５の上面後側には、後述する後側笠木４ｂが係止する後側笠木係止部６５が形成してあり、前側笠木係止部６３と後側笠木係止部６５との間には、中間笠木係止部６７が形成されている。
取付位置調整材３５はレベル調整材３３の上面部の前側及び後側で上から止めるねじ６０で固定してある。
また、取付位置調整材３５には、レベル調整材３３の上面部３４の溝３４ａに対応する位置に、柱取付金具６１が固定してある。柱取付金具６１は断面Ｌ字形状をなしており、Ｌ字の一側部６１ａを取付位置調整材３５にねじ６２で固定してあり、他側部６１ｂを柱３ａ、３ｂにねじ６４で固定してある。
【００１３】
笠木４ａ、４ｂ、４ｃは、壁上面２ａの前側に取付ける前側笠木４ａと、壁上面２ａの後側に取付ける後側笠木４ｂと、柱３ａ、３ｂ間及び３ｂ、３ｂ間に取付ける中間笠木４ｃとであり、前側笠木４ａは取付位置調整材３５の前側笠木係止部６３に嵌合して固定してあり、後側笠木４ｂは後側笠木係止部６５に嵌合して固定してあり、中間笠木４ｃは中間笠木係止部６７に嵌合して固定してある。
前側笠木４ａ及び後側笠木４ｂは、各々左右方向の寸法が取付位置調整材３５の左右寸法と略同じ寸法であり、中間笠木４ｃは左右方向の寸法が柱３ａ、３ｂ間及び３ｂ、３ｂ間の寸法としてある。
図４及び図６に示すように、壁２の左右両側端部には、笠木端部キャップ６９が取付けてあり、笠木４ａ、４ｂ、４ｃの隙間から取付位置調整材３５上に流れ込んだ雨水は、笠木端部キャップ６９の排水通路７１を通って排水されるようになっている。図６に示すように、笠木端部キャップ６９と端部柱３ａとの間には、壁上面２ａ上にクッション材７３が設けてある。
【００１４】
図１、図３及び図５に示すように、端部柱３ａ及び中間柱３ｂの各々には、前面を覆う柱カバー１７が取付けてあり、図１に示すように、柱カバー１７の上端１７ａは桁５の前面に配置してある。
端部柱３ａは、図５に示すように、内部に縦樋１９を収納する中空２１が形成してあり、前面に前側に突設する係止突起２３を有する係止部材２６がねじ固定されている。係止突起２３は係止部材２６の上下に亘って長く形成されている。
柱カバー１７には、係止突起２３に係止する被係止部２４が形成してあり、端部柱３ａの係止突起２３に係止してある。
中間柱３ｂにも、図３に示すように、前面に係止突起２３が形成されているが、中間柱３ｂには縦樋１９が収納されていない点が端部柱３ａと異なっている。
図１に示すように、各柱カバー１７は、柱３ａ、３ｂの係止突起２３に各々係止してあるが、桁５の前面には係止部がなく、桁５には係止されていない。
【００１５】
キャップ８は、各端部柱３ａ及び中間柱３ｂの位置に対応して桁５に設けてあり、端部柱３ａ及び中間柱３ｂと、垂木７との間で、桁５に被せてある。
キャップ８の後端部８ｂは、パネル押え取付部１４の前端部１４ａ及びパネル押え１１の前端部１１ａを覆っており、ねじ１２をキャップ８の後端部８ｂとパネル押え１１の前端部１１ａのねじ挿通孔に挿通して、垂木７のパネル押え取付部１４の前端部１４ａにねじ固定してある。
キャップ８の前側端部８ａには、下方に突設する突設部１６が設けてあり、前側端部８ａは、柱カバー１７の上端１７ａの外周面に係合し、突設部１６は柱カバー１７の上端１７ａの内部に挿入して、柱カバー１７の上端を固定している。
【００１６】
次に、本実施の形態にかかる建築構造物１の施工、作用効果について、説明する。
壁２の施工後に、図１に示すように、壁上面２ａにベース材３１を各柱３ａ、３ｂの取付位置にアンカーボルト３７で固定する。次に、ベース材３１の上に、レベル調整材３３を架設するが、レベル調整材３３は前側対向部４５と後側対向部４７とでベース材３１を前後で挟むように配置する。
前側対向部４５の前側高さ調整部４９と、後側対向部４７の後側高さ調整部５１との各々に高さ調整ねじ５３を螺合して、高さ調整ねじ５３の先端を壁の上面２ａに当接させて、高さ調整ねじ５３を回転させてレベル調整材３３の前後で高さを調整する。
高さ調整後に、ベース材３１にレベル調整材３３を横から止めるねじ５２、５４で固定する。
次に、レベル調整材３３の上に取付位置調整材３５を載置して、前後位置を調整する。取付位置調整材３５を前後にスライドして、位置を調整するが、前後位置の調整は、レベル調整材３３の前側端３３ａと前側位置規制部５７との間隔Ｌ１、後側端３３ｂと後側位置規制部５９との間隔Ｌ２の寸法内で行う。尚、図６に示すように、取付位置調整材３５の左右端部では、壁の上面にクッション材７３を配置する。
取付位置調整材３５の前後位置を調整した後、取付位置調整材３５の前側と後側の載置部５５を各々ねじ６０でレベル調整材３３に固定する。
その後、柱取付金具６１の一側部６１ａを取付位置調整材３５に固定し、柱取付金具６１の他側部６１ｂを柱３ａ、３ｂにねじ６２で固定する。
このように、各柱３ａ、３ｂを立設した後、前側笠木４ａを前側笠木係止部６３に嵌合して係止し、後側笠木４ｂを後側笠木係止部６５に嵌合して係止し、柱３ａ、３ｂ間及び３ｂ、３ｂ間で中間笠木４ｃを中間笠木係止部６７に係止する。
そして、取付位置調整材３５の左右端部に笠木端部キャップ６９をねじ固定する。
柱３を立設後、柱３に桁５を架設し、躯体側に設けた垂木掛けと桁５と間に垂木７を取付け、隣合う垂木７、７間に横桟９を取付け、垂木７のパネル受け２７と、パネル押え１１とで屋根パネル１３を固定する。
【００１７】
本実施の形態によれば、壁上面２ａに柱３ａ、３ｂを立設する場合に、レベル調整材３３において前側高さ調整部４９及び後側高さ調整部５１に高さ調整ねじ５３、５３を螺合して、前後における高さを調整し、その後レベル調整材３３をベース材３１に固定し、取付位置調整材３５は前側位置規制部５７とレベル調整材３３の前側端３３ａとの間、及び後側位置規制部５９とレベル調整材３３の後側端３３ｂとの間でレベル調整材３３に対する前後位置を調整後にレベル調整材３３に固定して、取付位置調整材３５に柱３ａ、３ｂ及び各笠木４ａ、４ｂ、４ｃを固定するから、壁上面２ａにレベル精度が要求されることなく、柱３ａ、３ｂのレベル調整及び前後の位置調整が容易にできる。
取付位置調整材３５は壁２の左右方向に亘って長く設けてあるので、各柱３ａ、３ｂの前後位置を揃えることが容易にできる。
レベル調整材３３の前側端３３ａに対向する前側位置規制部５７及びレベル調整材３３の後側端３３ｂに対向する後側位置規制部５９を設けているので、取付位置調整材３５の前後位置を調整するときに、前後に過大に移動し過ぎるの防止できるので前後位置の調整がし易い。
取付位置調整材３５の上面は、前後方向の中間部に溝３４ａを設けて溝３４ａの空間をねじ６２の軸を配置する空間としているので、柱取付金具６１を取付位置調整材３５に固定する作業がし易い。
各ベース材３１は、柱３ａ、３ｂの立設位置に対応する位置に固定し、レベル調整材３３は壁の左右方向の寸法と同程度の長尺で各ベース材に架設すると共に取付位置調整材３５もレベル調整材３３の寸法と同程度の長尺としており、前側笠木４ａ及び後側笠木４ｂもレベル調整材３３の寸法と同程度の長尺で且つ中間笠木４ｃは柱３ａ、３ｂ間及び３ｂ、３ｂ間の寸法としているので、部品数を少なくできると共に組立工数が少なくできるので施工しやすい。
ベース材３１が壁上面２ａの左右方向略全体に亘った長さの長尺の場合には、壁上面２ａが整っていない為に場所によって多少の高い低いがあると、壁上面２ａに対して浮き上がり部分が生じるおそれがあるが、本実施の形態では、ベース材３１は短尺として壁上面２ａの左右方向に間隔をあけて配置してあるから、長尺の場合に生じるような浮き上がりを防止できる。
レベル調整材３３を短尺として柱３ａ、３ｂに対応した位置に設けた場合には、壁上面２ａが整っていない為に場所によって多少の高い低いがあると、各レベル調整材３３の高さを調整した後に各レベル調整材３３の高さが不均一になり、各レベル調整材３３に亘って設けた取付位置調整材３５との間に隙間が生じるおそれがあるが、本実施の形態では、レベル調整材３３を長尺としているので、上述のような取付位置調整材３５との間に隙間が生じるのを防止できる。即ち、レベル調整材３３が短尺の場合は、各レベル調整材３３を個別に高さを調整しなければならず手間がかかるうえ、各レベル調整材３３の高さを合わせるのに手間がかかるが、本実施の形態では、レベル調整材３３は長尺なので、左右端のベース材３１と高さ及び水平を合わせるだけで全体の高さと水平を調整でき、中間のベース材３１と固定する際には高さ調整が要らないので、容易に施工できる。
【００１８】
更に、本実施の形態によれば、図１に示すように、建築構造物１は、パネル押え１１と、キャップ８と、柱カバー１７とで連続した輪郭を形成しているので、外観が良い。
柱３ａ、３ｂの前面に柱カバー１７を取付け、キャップ８の後端部８ｂをパネル押え１１のねじ挿通孔に挿通したねじ１２で垂木７のパネル押え取付部１４にねじ固定することでキャップ８を垂木７に容易に固定でき、キャップ８の前側端部８ａを柱カバー１７の上端１７ａに被せて係合するので、柱カバー１７を桁５に取付けなくても柱カバー１７の上端１７ａを固定できるから、施工が容易にできる。
【００１９】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図８〜図１０を参照して本発明の第２実施の形態を説明する。第２実施の形態にかかる建築構造物１は、隣合う柱３ａ、３ｂ間及び柱３ｂ、３ｂ間にＦＩＸ窓７７を設けてあることが、第１実施の形態にかかるテラスと異なっている。ＦＩＸ窓７７は、上枠７９、下枠８１、左右の竪枠８３とこれらに周囲が固定されたパネル８５とを備えている。
図８に示すように、桁５の下面には上枠７９が嵌合固定してあり、下枠８１は中間笠木４ｃの上面に中間笠木４ｃと一体に形成されている。図９に示すように、柱３ａ、３ｂの側面に形成されている溝８７内にパネル８５を前後から挟持した竪枠８３が嵌合固定してある。
また、上枠７９は、押縁８９でパネル８５を保持している。
この第２実施の形態によれば、上述した第１実施の形態と同様の作用効果を奏すると共に、第１実施の形態にかかる建築構造物１を用いて、桁５に上枠７９を取付け、中間笠木４ｃに下枠８１を形成したものを用い、柱３ａ、３ｂの側面に設けてある溝８７に竪枠８３を嵌合するだけで、建築構造物１の前面にＦＩＸ窓を設けることができ、ＦＩＸ窓の施工が容易である。
【００２０】
本発明は、上述した実施の形態に限らず、本発明の要旨を逸脱しない範囲で種々変形可能である。
例えば、本発明の建築構造物１はテラスに限らず、カーポート等でも良いし、手摺りやフェンス等のように、壁の上に柱を立設するものであれば特に制限されない。
笠木は、前側笠木４ａと後側笠木４ｂと中間笠木４ｃとで３つの部材で構成したが、これに限らず、例えば、中間笠木４ｃを前側笠木４ａや後側笠木４ｂに一体に形成して２部材としてもよいし、中間笠木４ｃの前後の中間位置で２分割して分割した前側を前側笠木４ａに一体に形成し、分割した後側を後側笠木４ｂに一体に形成して２部材としてもよい。
【符号の説明】
【００２１】
１    建築構造物
２    壁
２ａ  上面
４ａ  前側笠木
４ｂ  後側笠木
４ｃ  中間笠木
３１  ベース材
３３  レベル調整材
３３ａ  前側端
３３ｂ  後側端
３５  取付位置調整材
３９  底部
４１  前側突設部
４３  後側突設部
４５  前側対向部
４７  後側対向部
４９  前側高さ調整部
５１  後側高さ調整部
５３  高さ調整ねじ
５７  前側位置規制部
５９  後側位置規制部
【図１】
2015135054.tif 000003
【図２】
2015135054.tif 000004
【図３】
2015135054.tif 000005
【図４】
2015135054.tif 000006
【図５】
2015135054.tif 000007
【図６】
2015135054.tif 000008
【図７】
2015135054.tif 000009
【図８】
2015135054.tif 000010
【図９】
2015135054.tif 000011
【図１０】
2015135054.tif 000012
【図１１】
2015135054.tif 000013
【手続補正書】
【提出日】平成27年4月13日(2015.4.13)
【手続補正１】
【補正対象書類名】特許請求の範囲
【補正対象項目名】全文
【補正方法】変更
【補正の内容】
【特許請求の範囲】
【請求項１】
レベル調整材と、取付位置調整材と、柱と、笠木とを備え、レベル調整材は、複数の柱の下方に位置する長さを有する長尺材であって、壁の上面に高さ調整自在に設けてあり、取付位置調整材は、複数の柱の下方に位置する長さを有する長尺材であって、柱を載置固定してあると共にレベル調整材に対して前後方向の位置を調整自在に載置してあり、笠木は取付位置調整材に取付けてあることを特徴とする建築構造物。
【手続補正２】
【補正対象書類名】明細書
【補正対象項目名】０００６
【補正方法】変更
【補正の内容】
【０００６】
請求項１に記載の発明は、レベル調整材と取付位置調整材と柱と笠木とを備え、レベル調整材は、複数の柱の下方に位置する長さを有する長尺材であって、壁の上面に高さ調整自在に設けてあり、取付位置調整材は、複数の柱の下方に位置する長さを有する長尺材であって、柱を載置固定してあると共にレベル調整材に対して前後方向の位置を調整自在に載置してあり、笠木は取付位置調整材に取付けてあることを特徴とする建築構造物である。
【手続補正３】
【補正対象書類名】明細書
【補正対象項目名】０００７
【補正方法】変更
【補正の内容】
【０００７】
本発明によれば、柱のレベル調整及び前後の位置調整が容易にできる。
各柱の取付位置に亘って左右方向に設けた取付位置調整材で前後位置調整をおこなうので、各柱の前後位置を一括して調整できるから、各柱の前後位置を容易に揃えることができる。